(57)【要約】  試料ホルダー上の試料を複数の方向から観測するとともに試料から放出される各方向の光の画像を主結像レンズを経て二次元検出器の方向に導く導光路は、試料からの直接光を受けない導光路を含んでいる。試料からの直接光を受けない導光路は試料の像を主結像レンズの実質的合焦点範囲内に形成するとともに像を形成した後の光線が主結像レンズの方向に進むように配置された光学素子を含んでいる。少なくとも１つの導光路の光学素子は実像を形成する光学素子である。これにより、主結像レンズが試料とそれらの実像とを一括して二次元検出器上に結像する。
2009139058.tif 000002
【特許請求の範囲】
【請求項１】
生体試料が載置される試料ホルダーと、
前記試料ホルダー上の試料から放出される光の像を検出する二次元検出器と、
前記試料ホルダー上の試料を複数の方向から観測するとともに試料から放出される各方向の像を前記二次元検出器の方向に導く各方向毎に備えられた導光路と、
前記二次元検出器と導光路との間に配置され、前記導光路により導かれた複数の画像を前記二次元検出器上の方向毎の異なる場所に結像する主結像レンズとを備え、
前記導光路として試料からの直接光を受けない導光路を含み、試料からの直接光を受けない該導光路は試料の像を主結像レンズの実質的合焦点範囲内に形成するとともに像を形成した後の光線が該主結像レンズの方向に進むように配置された光学素子を含み、かつ少なくとも１つの導光路の前記光学素子は前記像として実像を形成する光学素子であり、
これにより、前記主結像レンズが前記導光路を経由した複数方向の画像を一括して二次元検出器上に結像することを特徴とする生体画像撮影装置。
【請求項２】
前記導光路として、試料からの直接光を受けない導光路の他に、試料からの直接光を受ける導光路も含む請求項１に記載の生体画像撮影装置。
【請求項３】
試料からの直接光を受けない全ての導光路が前記像として実像を形成する光学素子を含む請求項１又は２に記載の生体画像撮影装置。
【請求項４】
試料の実像を前記主結像レンズの実質的合焦点範囲内に作るための光学素子として凹面鏡を含む請求項１から３のいずれか一項に記載の生体画像撮影装置。
【請求項５】
前記凹面鏡を含む導光路の少なくとも一つが、さらに平面鏡を含み、凹面鏡と平面鏡により試料の実像を主結像レンズの実質的合焦点範囲内に形成する請求項４に記載の生体画像撮影装置。
【請求項６】
試料からの直接光を受ける導光路と、前記凹面鏡を含んで試料の隣に実像を結像する導光路の1つ又は２つを含み、
前記主結像レンズが、試料と試料の隣に形成された実像を二次元検出器上に作ることで２方向又は３方向を同時に観測する請求項４又は５に記載の生体画像撮影装置。
【請求項７】
試料から見て主結像レンズと二次元検出器の方向を真上と定義するとき、試料からの直接観測される像を二次元検出器の中央に、試料の斜め下側の２つの方向の像をその両隣に、試料の斜め上側の２つの方向の像をその２つの像の更に両隣に形成し、合計５つの観測方向の像を二次元検出器上に取得する５つの導光路が配置されている請求項１から５のいずれか一項に記載の生体画像撮影装置。
【請求項８】
試料から見て主結像レンズと二次元検出器の方向を真上と定義するとき、試料からの直接観測される像を中央に、試料の横方向の２つの方向の像をその両隣に、試料の下側の像を両隣の像と垂直な方向の隣に作成することで、上下左右、合計４つの観測方向の像を二次元検出器上に取得するように前記４つの導光路が配置されている請求項１から５のいずれか一項に記載の生体画像撮影装置。
【請求項９】
ｎを整数として、主結像レンズの合焦点面内で、試料から側方方向に距離の異なる位置に像を形成するような試料からの直接光を受けないｎ個の導光路と、試料からの直接光を受ける導光路とからなる合計（ｎ＋１）個の導光路を備え、
主結像レンズと試料との距離が可変になるように主結像レンズ又は試料が移動可能に支持されており、
主結像レンズと試料との距離を変える又は、選択することで、同時に主結像レンズの視野に入る方向数を（ｎ＋１）個及びそれより少ない数のうちから選択できるようにした請求項１から５、７又は８のいずれか一項に記載の生体画像撮影装置。
【請求項１０】
試料が載置されている面を含む平面内の一直線上で試料の両側に１個ずつ、さらにその外側の両側に１個ずつの合計４個の像を形成するように４個の導光路を備え、
主結像レンズと試料との距離を変えることで、同時に観測する方向数を５方向、３方向及び１方向のうちの２つ以上を選択できるようにした請求項９に記載の生体画像撮影装置。
【請求項１１】
試料の側方に複数個の実像を形成するように複数個の導光路を備え、
前記試料ホルダーの試料台として全ての実像の形成を妨げるとともに、複数の試料を配置できる大きさの光遮断性試料台と光透過性試料台を着脱可能に備え、
光遮断性試料台を配置したときの複数試料１方向観測と、光透過性試料台を配置したときの１つの試料の複数方向観測という２種の測定法を切替え可能にした請求項１から１０のいずれか一項に記載の生体画像撮影装置。
【請求項１２】
凹面鏡を含む少なくとも１つの導光路は、形成される実像の位置を移動できるように、前記凹面鏡の曲率中心の位置を機械的に移動できる調節機構を備えた請求項４から１０のいずれか一項に記載の生体画像撮影装置。
【請求項１３】
試料からの直接光を受けない少なくとも１つの導光路が平面鏡のみを含んで前記像として虚像を形成するものである請求項１又は２に記載の生体画像撮影装置。
【請求項１４】
試料からの直接光を受けない他の導光路は、試料の実像を前記主結像レンズの実質的合焦点範囲内に作るための光学素子として凹面鏡を含む請求項１３に記載の生体画像撮影装置。
【請求項１５】
前記凹面鏡を含む導光路の少なくとも一つが、さらに平面鏡を含み、凹面鏡と平面鏡により試料の実像を主結像レンズの実質的合焦点範囲内に形成する請求項１４に記載の生体画像撮影装置。
【請求項１６】
試料から見て主結像レンズと二次元検出器の方向を真上と定義するとき、試料からの直接観測される像を二次元検出器の中央に、試料の斜め下側の２つの方向の像をその両隣に、試料の斜め上側の２つの方向の像をその２つの像の更に両隣に形成し、合計５つの観測方向の像を二次元検出器上に取得するように前記導光路が５つ配置されている請求項１３から１５のいずれか一項に記載の生体画像撮影装置。
【請求項１７】
試料から見て主結像レンズと二次元検出器の方向を真上と定義するとき、試料からの直接観測される像を中央に、試料の横方向の２つの方向の像をその両隣に、試料の下側の像を両隣の像と垂直な方向の隣に作成することで、上下左右、合計４つの観測方向の像を二次元検出器上に取得するように前記導光路が４つ配置されている請求項１３から１５のいずれか一項に記載の生体画像撮影装置。
【請求項１８】
ｎを整数として、主結像レンズの合焦点面内で、試料から側方方向に距離の異なる位置に像を形成するような試料からの直接光を受けないｎ個の導光路と、試料からの直接光を受ける導光路とからなる合計（ｎ＋１）個の導光路を備え、
主結像レンズの焦点距離を可変にすることで、同時に主結像レンズの視野に入る方向数を（ｎ＋１）個及びそれより少ない数のうちから選択できるようにした請求項１から５、７又は８のいずれか一項に記載の生体画像撮影装置。
【請求項１９】
試料が載置されている面を含む平面内の一直線上で試料の両側に１個ずつ、さらにその外側の両側に１個ずつの合計４個の像を形成するように４個の導光路を備え、
主結像レンズの焦点距離を可変にすることで、同時に観測する方向数を５方向、３方向及び１方向のうちの２つ以上を選択できるようにした請求項１８に記載の生体画像撮影装置。
【請求項２０】
凹面鏡を含む少なくとも１つの導光路は、形成される実像の位置を移動できるように、前記凹面鏡の曲率中心の位置を機械的に移動できる調節機構を備えた請求項１４から１９のいずれか一項に記載の生体画像撮影装置。
【請求項２１】
前記導光路として凹面鏡と平面鏡を備えて試料からの直接光を受けない導光路のみを含む請求項１に記載の生体画像撮影装置。
【請求項２２】
蛍光発生のための励起光で試料を照射する励起光源と、試料から主結像レンズの間に配置され、前記励起光源の波長成分を除去するフィルタと、
をさらに備えた請求項１から２１のいずれか一項に記載の生体画像撮影装置。
【請求項２３】
取得した多方向の各画像を表示する表示部と、前記表示部に表示する前記各画像について、表示する順序と向きの変更、反転、回転、大きさの調節及び歪曲補正の操作の内いずれか１つ以上を行う画像変換手段を備えた請求項１から２２のいずれか一項に記載の生体画像撮影装置。
【発明の詳細な説明】
【技術分野】
【０００１】
本発明は、小動物などの生体試料を対象とする光バイオイメージング技術に関する。
【背景技術】
【０００２】
生体中の分子種がどのように分布しているかを画像化する手法は医学、生物学の重要な研究方法である。これまで細胞レベルでは顕微鏡を使い、蛍光色素を付着した分子プローブや、化学発光を用いる分子プローブを用いて、分子種を画像化する方法がひろく行われてきた。今後は細胞レベルからより大きな臓器やさらに動物の個体に対して、注目している分子種が分布している様子を生きたまま観察する装置が要求されている。例えばマウスなど個体におけるガン細胞に蛍光プローブが結合するようにして、注目するガン細胞の増殖の様子を画像化し、毎日とか毎週とかの経時変化として観測する技術である。従来の細胞レベル用の測定装置で動物個体内部のガン細胞の増殖を見るためには、動物を殺して所定の部分を染色したり、蛍光体を付けたりして観察することになるが、それでは１つの個体に対する長期間にわたる細胞の経時的な増殖を見ることができない。この理由で小動物個体の内部情報の分子種を、個体が生きたままの状態で観察できる装置の開発が望まれている。【０００３】
近赤外光は、生体内部における光の透過率が比較的良いため、６００ｎｍ〜９００ｎｍ程度の波長を用いる小動物の観察装置が使われている。しかしながら、従来技術の観察法では通常は試料を上部から撮影するだけで同時に多方向の観察ができない。例えば、特定の方向からマウスを観察したとき癌が見えなくても反対側から観察すると癌が検出されるといった場合である。一方向しか観測できない装置を用いるとき、オペレータは止むを得ず、マウスの体軸を中心として少しずつ回転した像を撮影することで、近似的に多方向の観察をするような操作で対処するしかない。しかしこの方法では再現性のあるデータは得られず、各方向を同時に検出することができない。特に、生体からの発光観察では発光強度そのものが非常に弱いので、通常数十秒から数分間二次元検出器上で積分露光を行う必要がある。一方で発光強度は時間的に変化するから、異なる方向毎に順次切り替えて撮像すると方向毎の画像の条件が違ってしまい役に立たない。生体の複数方向の像を同時並行に検出器上で長時間積分できることが望ましい。蛍光測定は発光測定より強度が強いため比較的短時間に行うことができるが、それでも多方向の情報を一度に撮影できることは迅速で正確なデータを得るために欠かせない。【０００４】
多方向の画像を得る方法としては、回転反射鏡を用いて時分割で多数の角度の画像を順次取得する方法が知られている（特許文献１参照。）。この手法は、試料自身の平行移動はあるものの、試料を回転させることなく、また二次元検出器も回転させることもなく、途中のミラーの回転と試料の位置の変化によって多方向の観察を行う。【０００５】
回転反射鏡を用いる特許文献１の方法の欠点は、各方向の測定が時分割であるために同時測定ができず、測定に時間を要すること、さらに方向毎に測定の時刻が異なるため、発光のように経時的強度が変わるときは、各方向の時間的条件が異なってしまう不具合に加えて、構造が複雑であるという不具合を生じる。【０００６】
一方、多方向の像を同時に撮影する既知の手法として、背面鏡装置を用いた方法が知られている（特許文献２参照。）。この中では立体画像構成の多方向像の取得のため、試料の背面に設置した複数個のミラーによって裏面や側面の像を、正面の試料とともに同時に撮影する方法が開示されている。しかし、これら複数個のミラーによってできる虚像の位置は、試料から撮影レンズまでの距離に比べて遠くなるから、試料から直接レンズに入る光と背面ミラーによって反射した後にレンズに入る光線について焦点を同時に合わせることはできない。立体画像撮影では通常レンズを絞ることで焦点の合う範囲、いわゆる焦点深度を深くできるので、焦点が合っていなくても差し支えないような撮影方法を前提としてこのような多方向の同時測定が可能となっている。すなわち、このような立体画像データ取得用のカメラは、焦点深度を深くするために開口を絞って使うことが前提になっていると考えられる。
【特許文献１】米国特許出願公開第２００５０２０１６１４号公報
【特許文献２】特開２００１−３３０９１５号公報
【発明の開示】
【発明が解決しようとする課題】
【０００７】
ところが、本発明が目的とする生体の蛍光画像又は発光画像の撮影では、微弱な光を測定する必要から口径の大きいレンズを必要とする。すなわちビデオカメラのような焦点距離ｆが１５ｍｍでＦ／８（この場合のレンズの実口径は１５／８で約２ｍｍでしかない。）などの小口径のレンズでなく、焦点距離ｆが５０ｍｍ程度でしかも明るさがＦ／１〜Ｆ／２と言ったレンズの条件になるので、典型的なレンズの実口径が５０ｍｍ〜２５ｍｍ程度になる。言い換えれば発光又は蛍光の測定では、立体画像撮影で前提としている測定条件に比べレンズの実口径が１桁程度大きい。焦点深度はレンズの実効径に反比例するため立体画像撮影のカメラは焦点深度が深く、レンズから被写体（試料又はその像）までの距離が多少異なっても問題にならない。本発明で対象としている生体の蛍光画像又は発光画像の撮影では、大口径の明るいレンズで使うための浅い焦点深度を前提に多方向撮影装置を作る必要がある。【０００８】
上述の特許文献２の制約、すなわち背面に置いた反射鏡による試料の像が試料の位置より遠くなって両者に同時に焦点を合わせられない問題を解決する一方法として、補助レンズを用いる方法が考えられる。試料自身又は反射鏡による像のいずれかを主結像レンズに対して前後に移動させるための補助レンズを光路の途中に挿入する案である。それを図１６Ａによって説明する。図１６Ａは試料Ｓの斜め裏側を観測するために配置した平面鏡Ｍ１とＭ２を用いて、正面方向を含めて３つの観測方向の像を並列取得する測定系である。【０００９】
平面鏡Ｍ１による試料Ｓの虚像がＳ１'、 平面鏡Ｍ２による試料Ｓの虚像がＳ２'にできるが、主結像レンズ１００からＳ１'、Ｓ２'までの距離がyとなって、試料Ｓまでの距離ｘに比べかなり大きくなってしまう。【００１０】
この距離を前後に移動する方策として、補助レンズとして、主結像レンズ１００に至る正面光路に凸レンズ１１０又は斜め裏面用の光路に凹レンズ１１０Ａを挿入する。凸レンズ１１０は距離ｘを延ばして裏面用の距離ｙに近づける役割をもち、逆に凹レンズ１１０Ａは距離ｙを縮めて正面用の距離ｘに近づける役割をもつ。【００１１】
上記の補助レンズの方式はある程度は有効であり、主結像レンズ１００の口径が２ｍｍから２０ｍｍ程度までなら欠点が比較的目立たず十分実用化に耐えるが、レンズの口径がそれ以上に大きくなる（例えば焦点距離が５０ｍｍ程度でレンズのＦ値が１〜１．２等の大口径レンズで、口径が４０ｍｍから５０ｍｍになる）と使えないことが判った。その理由を以下に図１６Ｂ、図１６Ｃを用いて説明する。【００１２】
図１６Ｂと図１６Ｃは図１６Ａと同じ３方向測定系において、補助レンズとして凸レンズ１１０を正面像の光路の途中に置く場合である。以下、主結像レンズ１００の口径が小さい場合（図１６Ｂ）と口径が大きい場合（図１６Ｃ）を比較して、主結像レンズ１００の口径が大きい場合に問題が起きることを述べる。【００１３】
図１６Ｂと図１６Ｃのいずれの場合も、反射鏡Ｍ１とＭ２による試料Ｓの虚像が、試料の下方Ｓ１’とＳ２’にできている。一方、試料から正面に進む光については、試料の像を反射鏡像の位置まで下げて、横２つの像と同じ距離にするため補助レンズ１１０を挿入すると、補助レンズによって、（ｂ／ａ）倍に拡大されるためＳ０’のように大きな像になっている。ａは補助レンズ１１０と試料Ｓの間の距離、ｂは補助レンズ１１０と像Ｓ０’の間の距離である。【００１４】
ここで生じる第１の問題は、正面像が極端に大きく、反対に裏面像が小さくなることである。【００１５】
第２の問題は、主結像レンズ１００に向かって進む裏面像の導光路１０４，１０６と正面像の導光路１０２が補助レンズ１１０の位置で重なる問題である。この図では各導光路を斜線で示してある。主結像レンズ１００の口径が小さい図１６Ｂの場合は重なっていないが、主結像レンズ１００の口径が大きい図１６Ｃの場合は重なっている。【００１６】
上記で符合１０４，１０６，１０２で示される部分に対して「導光路」と言う言葉を使ったが、以降の総ての記述で、各方向について、それぞれの像を導く光路域の全体を導光路と定義する。以降、導光路を用いて各観測方向の結像及び上記重なりの問題を説明する。【００１７】
試料の各点から発する多数の光線が画像情報を運ぶ訳であるが、それらの光線が導光路内を通過して主結像レンズ１００を通って二次元検出器１０８に到達する。また各導光路は、必要に応じ、光を折り曲げたり屈折させたりして光を誘導する光学素子を含む。すなわち、導光路は観測方向数だけ存在し、その中に多数の光線が存在するとともに、その総ての光線の最も外側境界までの空間と、光学素子が存在する場合には光学素子も含んでいる。正面の導光路１０２には試料から主結像レンズまでに光学素子は配置されていないので、正面の導光路１０２は単に空間だけからなるが、説明の統一性のために、光学素子を含まなくても導光路と定義することにする。導光路には光学素子を含むものと含まないものがあることになる。【００１８】
図１６Ｂと図１６Ｃの比較から明らかなように、主結像レンズの口径が小さい図１６Ｂの場合は、導光路間の重なりが小さく、主結像レンズの口径が大きい図１６Ｃの場合は重なりが大きいが、問題となるのは補助レンズを配置したい位置で導光路に重なりがなく、隙間に余裕があるかどうかである。この関係をより正確に表現するために、以下のように導光路の端を通る光線に注目する。【００１９】
補助レンズ１１０の位置で直線Ｃ’Ｂ（反射鏡Ｍ１による像Ｓ１'の右端Ｃ’と主結像レンズ１００の右端Ｂを結ぶ直線）と直線Ｄ’Ａ（補助レンズ１１０による試料の拡大像の左端Ｄ’と主結像レンズ１００の左端を結ぶ直線）の間が、図１６Ｂの場合は重なっていないが、図１６Ｃの場合は重なっているということである。補助レンズ１１０で導光路が重なってしまうと両方の像が二重に結像されてしまうので、重なりを避ける必要がある。そのためは補助レンズ１１０を試料Ｓに近づければ多少余裕が増えるものの、そうすると、補助レンズ１１０と試料Ｓの間の距離ａが小さくなり、正面像の倍率、（ｂ／ａ）がいっそう大きくなってしまい、第１の欠点が拡大する。結局、試料Ｓと主結像レンズ１００の間に補助レンズ１１０を使う方式である限り、ある程度以上の口径の大きい主結像レンズ１００を用いる多面鏡システムは構築できないことになる。なお上記では補助レンズとして凸レンズを正面像に挿入した場合を説明したが、図１６Ａで示した凹レンズ１１０Ａを斜め後ろの方向の導光路１０４，１０６に挿入する場合でも同様な重なりが凹レンズ部分で生じ、大口径レンズには対応できない。【００２０】
上述の通り、裏側の像を見るために単に平面鏡を配置しただけでは、平面鏡の像が遠方にできて、異なる方向の像の総てに焦点を合わせられないし、それを緩和する補助レンズを使うに方式にしても結像レンズの口径に限界があるので、明るい撮像系は構築できない。【００２１】
本発明は、多方向像の同時測定を行う際に、多方向の光線を二次元検出器の異なる場所に導くための明るい光学系を備えた生体画像撮影装置を提供することを目的とするものである。
【課題を解決するための手段】
【００２２】
本発明の生体画像撮影装置は、生体試料が載置される試料ホルダーと、試料ホルダー上の試料から放出される光の像を検出する二次元検出器と、試料ホルダー上の試料を複数の方向から観測するとともに試料から放出される各方向の光の画像を二次元検出器の方向に導く方向別の導光路と、二次元検出器と導光路の間に配置され導光路により導かれた複数の画像を二次元検出器上の方向毎の異なる場所に結像する主結像レンズとを備えている。【００２３】
そして、導光路として試料からの直接光を受けない導光路を含み、試料からの直接光を受けない導光路は試料の像を主結像レンズの実質的合焦点範囲内に形成するとともに像を形成した後の光線が主結像レンズの方向に進むように配置された光学素子を含み、かつ少なくとも１つの導光路の光学素子は像として実像を形成する光学素子である。【００２４】
これにより、主結像レンズが導光路を経由した複数方向の画像を一括して二次元検出器上に結像するようにしたものである。【００２５】
既に述べたとおり、平面鏡だけを用いると収差が全くない利点はあるものの、試料の下部に虚像しかできず、かつ試料の裏面方向については平面鏡の虚像が遠方にできて、主結像レンズは異なる方向の像の総てに焦点を合わせられない。またそれを緩和するために補助レンズを使うにしても結像レンズの口径に限界があるので、本発明では以下の対策を講じた。【００２６】
本発明の第１の原理――結像形光学素子の使用。【００２７】
本発明では、平面鏡の像が遠くにできるような導光路に対して、平面鏡に代えて凹面鏡のような実像を形成する光学素子を用い、虚像ではなく試料の実像を、主結像レンズから試料とほぼ等しい距離に作る。【００２８】
その原理図を図１Ａ−１Ｄに示す。ここでは実像を形成する光学素子として凹面鏡を取り上げて説明するが、凹面鏡に限定されるものではなく、平面鏡と凸レンズの組合せのような光学素子でも実現される原理である。図１Ａは斜視図、図１Ｂは正面断面図、図１Ｃはこの場合の導光路を示したものである。二次元検出器としてＣＣＤ４を例として説明する。図１Ａ、図１Ｂ、図１Ｃの方式では裏側像をＣＣＤ側に導くのに図１６Ａの平面鏡Ｍ１、Ｍ２の代わりに大きな凹面鏡Ｍ１、Ｍ２を使い、試料Ｓの倒立実像Ｓ１、Ｓ２を試料Ｓの両隣りに作り、これら３つの像Ｓ、Ｓ１、Ｓ２を上から主結像レンズ５とＣＣＤ４で撮影する。試料Ｓと２つの像Ｓ１、Ｓ２の三者は主結像レンズからほぼ等距離にあるから、図１６Ａのような方向別焦点合わせの補助レンズが不要であり、主結像レンズ５が大口径であっても導光路の重なりは関係なくなる。図１Ｃと図１６Ｂを比較してみるとよくわかるように、図１６ＢではＳ０'に対してＳ１'，Ｓ２'が遠くにあるので、無理に三者の距離を一致させようとして補助レンズ１１０を必要とするが、その場所は導光路に重なりがある。これに対して図１Ｃでは、結像すべき試料Ｓ，像Ｓ１，Ｓ２が予め主結像レンズからほぼ等距離に並ぶように作られているので補助レンズが不要であり、導光路の重なりがじゃまにならない。すなわち、図１Ｃでも主結像レンズの前では斜線で表した３つの導光路１０２，１０４，１０６は重なっているが、そこに光学素子を配置する必要がないことが図１６Ａとの重要な相違点である。【００２９】
図１Ａ、１Ｂにおける像形成の重要なポイントは以下の２点である。
１）凹面鏡Ｍ１、Ｍ２のそれぞれの曲率中心の位置Ｃ１、Ｃ２が重要であって、試料Ｓとその像Ｓ１、Ｓ２の各対応点がＣ１又はＣ２に対して立体的な点対称になっていることである。結像レンズ５から例えばＱ点に焦点を合わせて見ているとし、結像レンズ５から試料Ｓの方に逆向きに進む主光線（結像レンズ５の中心を通る光）を考える。この主光線はＱ点の延長上のＧ点で凹面鏡Ｍ１にあたり、そこで反射され試料Ｓ上のＰ点に向かうが、反射の入射角と射出角が等しいことから、Ｐ点とＱ点の中点にミラーＭ１の曲率中心Ｃ１が存在する。すなわち、Ｇ点から進む光は、対称中心Ｃ１に対し、Ｑ点と点対称のＰ点に向かって反射することになる。試料Ｓとしてマウスを測定する場合を例として挙げると、Ｐ点が図１Ａに示すような、マウスの頭部の下面であるとすると、Ｑ点はマウスの裏返った試料像Ｓ１の頭部の下部であって腹部がレンズの側を向いている。こうして主結像レンズ５から下を見ると、図１Ｄのようなマウスの背中が写った正面像とその両隣にマウスの腹部が写った裏面像が観測され、画像においてもＰ点とＱ点がＣ１に対して点対称になっている。同様に試料Ｓの他の点、例えばＨ点は、試料像Ｓ２では、Ｃ２の反対側の点Ｉに写像されている。【００３０】
なお、Ｃ１点、Ｃ２点の位置を試料Ｓに近づければ、像Ｓ１、Ｓ２が全体として試料Ｓの近くに寄るし、Ｃ１点、Ｃ２点の位置を試料Ｓから離せば像も離れる。Ｃ１点、Ｃ２点の位置を変化させることで像の位置を調節できるから、カメラの視野にバランスよく多方向の像を並べることができる。【００３１】
２）ポイントの２つ目は実像を形成する光学素子の結像特性に関する。凹面鏡Ｍ１、Ｍ２のような大きな光学素子で試料の実像を作るときは、一般に収差が非常に大きくなる。例えば図１Ａにおいて、試料像Ｓ１の位置に「紙」をおいて、試料像Ｓ１の結像を見るなら、凹面鏡Ｍ１の全面を使うため収差が大きくボケた像にしかならない。しかし実際には、主結像レンズ５を通して試料像Ｓ１を見るので、例えばＱ点に焦点を合わせるとき、主結像レンズ５に入射する光はＱ点の延長がＭ１に交わるＧ点を中心とするδＳで表した面積の部分の光線だけである。すなわち、結像に使われるのは、大きな凹面鏡Ｍ１の一部のδＳで表した小さい凹面鏡でしかない。したがって結像に使われる立体角ωは比較的小さい値（Ｆ値で表すとき、Ｆ６程度以上）となるから、このような大きな凹面鏡でも実用になる収差内に収まる。観測したいＱ点を動かすとき対応する凹面鏡Ｍ１の部分δＳは、Ｑ点につれて凹面鏡Ｍ１の全体を動くけれども、それぞれの場所で結像に使われるのは、上述の面積δＳの範囲に限られる。【００３２】
さらに好都合な点は、球面の凹面鏡により等倍率の１対１の像を作るときは収差が少なくなることである。殊にＰ点とＱ点が近ければ、（角ＱＧＰが小さいとき）さらに綺麗な結像になる。極端な例は角ＱＧＰがゼロに近ければ、球面凹面鏡の曲率中心から出て同じ点に戻る光に極めて近い状態になって、収差が全くなくなることからも、球面凹面鏡による１対１の結像が収差の点で有利なことが理解できる。【００３３】
さて、図１Ａに見られるようにＳ１、Ｓ２が１対１の像ならば、試料Ｓを含め同じ大きさに３つの像を結像レンズ５がＣＣＤ４上に再度結像するのでサイズ上のバランスが良い上に、前述した１対１結像が収差的にも有利であるという幸運が重なり、球面凹面鏡を用いる光学素子を有利な方法としている。すなわち、非球面（楕円面など）の凹面鏡でなく、安価な球面凹面鏡で十分な効果が有ることを強調する。さらに以下の「作用」の項では、この１対１の結像の収差及びβ（角ＱＧＰ）が少し大きくなるとどうなるかを、もう少し詳しい計算でも検討し、光学素子において凹面鏡の配置をどのようにすれば、凹面鏡の特性が生きるかのガイドラインについて述べてある。【００３４】
以上述べたように、裏面方向の像をＣＣＤの側に戻すための結像形光学素子の利用原理が本発明の第１の原理である。ここで、図のＭ１、Ｍ２が大きな凹面鏡であることも意味があることを追記する。主結像レンズ５から試料の像Ｓ１の１点、例えばＱを見るとき、向こう側の凹面鏡上の点Ｇが存在するが、Ｇが存在できる程度にＭ１のサイズが大きい必要がある。試料の像Ｓ１全体を見る必要があるとき、Ｍ１の全体のサイズは図の例ではＳ１のサイズの１．５倍程度である。レンズ５から見て試料の像Ｓ１の向こう側に凹面鏡が存在するだけのサイズを要するからである。試料の像Ｓ１の全体でなく、その一部（例えば頭部だけ）の観察でよいなら、後の実施例のように、凹面鏡Ｍ１、Ｍ２はもっと小さくてもよく、測定目的によってその大きさを選ぶことができる。【００３５】
本発明の第２の原理は、以下に述べる「折り曲げ平面鏡」の追加使用により、結像形光学素子を観測角度に配置しながら、その像を希望するカメラ視野の空いた場所に向ける方法である。【００３６】
第１の原理では、結像形光学素子の一例としての凹面鏡Ｍ１による像（例えば像Ｓ１）を通過する光線は、図１Ａの配置で下側から上の主結像レンズ５の方向に進むため、この凹面鏡Ｍ１は主結像レンズ５から見て像Ｓ１の「向こう側」に配置されている必要がある。凹面鏡Ｍ１は試料Ｓの裏側を見ているから、そのままでは裏側の観測にしか使えない。その制約を取り除く手法、すなわち「凹面鏡を配置しながら試料の観測方向として真横とか斜め上を実現し、しかもその凹面鏡の像Ｓ１が主結像レンズの方向を向かい、且つＣＣＤ視野の希望の場所に進むようにする方法」が第２の原理である。その手法は、追加の「折り返し平面鏡」を組み合わせる方法である。【００３７】
第２の原理を図２を用いて説明する。図２では試料Ｓを円筒で表しており、Ｍ１ａと記述した仮想の凹面鏡は、図１Ａの配置で試料Ｓの裏側の角度α０の方向を観測できた。第２の原理の課題は観測方向をα０でなくαの方向に変えることである。そのために、凹面鏡Ｍ１を希望の観測方向αの角度に配置する。図２ではαを丁度９０度に選んでいるので、真横からの観測方向が実現される。図２の「折り返し平面鏡」Ｍ３が鉛直線となす角度をθとし、凹面鏡Ｍ１の位置を平面鏡Ｍ３の面に対して仮想の凹面鏡Ｍ１ａと面対称に配置することを考えると、対称性から、
α−θ＝θ−α0
すなわち
α＝２θ−α0            （１）
又は
θ＝（α＋α0）／２      （１'）
なる関係があればよい。すなわち希望の観測角αにするには、式（１’）のように「折り曲げ平面鏡」Ｍ３の角度θを決めればよいし、逆にθが決まっておれば、観測方向は、（１）式のように決まる。【００３８】
この方法は、まず希望の観測角αの位置に凹面鏡Ｍ１を配置し、カメラ４から像Ｓ１の向こうにその凹面鏡Ｍ１が見えるように折り曲げ鏡１枚を配置する手法であると言える。【００３９】
ここで図２中の試料上の注目点Ｐから出る光の結像を確認すると以下のようになる。凹面鏡Ｍ１によってＰの像がＱ’にできるが、この結像位置は折り曲げ鏡Ｍ３によってＱの位置に変換される。その後、光線は主結像レンズ５に向かって進み二次元検出器上にもう一度結像される。【００４０】
第２の原理の更なる変形原理（折り曲げ鏡を２枚を組み合わせる）。
試料Ｓの実像をＳ１の位置に作る点は同じであるが、折り曲げ鏡を２枚を組み合わせ、「希望の観測角αに凹面鏡を置く」という上記の制約を外す手法を与える。図３Ａを用いて説明する。図３Ａでは試料Ｓの真裏方向（１８０度方向）を観測する例を挙げる。すなわちα＝０度である。この場合は、第１の原理だけを使ってα＝０度に凹面鏡を配置すると、凹面鏡で反射してレンズ５に向かう像は、実試料の上に重なって、レンズからは見ることができない。図３Ａのように、凹面鏡を新らしいＭ１の位置に配置し、図２の例と同様に試料Ｓ上の点Ｐの実像をＳ１上の点Ｑに作った上で、実試料Ｓとその実像Ｓ１を一緒に上のカメラ４で撮影する。ただ異なるのはその実像Ｓ１が凹面鏡Ｍ１と２枚の折り曲げミラーＭ５、Ｍ６の反射を介して形成されている点である。２枚の折り曲げ鏡Ｍ５、Ｍ６を含む結像の説明には中間の虚像Ｓ’とＳ１’とを用いると判りやすい。ここでＳ’は試料Ｓの「折り曲げ鏡Ｍ５」による虚像、Ｓ１’は最後にできる実像Ｓ１の「折り曲げ鏡Ｍ６」による虚像である。また、同様にＰ’は試料Ｓ上の注目点Ｐの「折り曲げ鏡Ｍ５」による虚像、Ｑ’は「Ｐの共役点Ｑ」の「折り曲げ鏡Ｍ６」による虚像である。【００４１】
そこで、図３Ａから虚像Ｓ’とＳ１’及び凹面鏡Ｍ１が関係する部分だけを抜き出して作成した図３Ｂを併用して、ＰからＱ迄の結像をたどる。まず図３Ａの試料Ｓ並びにＳ上の注目点Ｐは、「折り曲げ鏡Ｍ５」によってＳ’とＰ’に転写される。次に図３Ｂに移り、Ｓ’とＰ’が凹面鏡Ｍ１によってＳ１’とＱ’に転写される。Ｃ１は凹面鏡Ｍ１の曲率中心、Ｒはその曲率半径である。第１の原理の説明で述べたようにこの場合もＰ’とＱ’は点Ｃ１に対して点対称に結像される。再び図３Ａに戻り、最後にＳ１’とＱ’が「折り曲げ鏡Ｍ６」によってＳ１とＱに転写される。【００４２】
こうして、試料Ｓがカメラ（レンズ５とＣＣＤ４の総称）に対して反転された像がＳ１の位置に形成されることが判った。カメラは、実試料Ｓと隣の反転像Ｓ１を普通に撮影しさえすればよい。【００４３】
以上、第２の原理を要約すれば、凹面鏡に加えて複数枚の平面鏡を併用することで試料Ｓの希望する方向の実像を試料に隣接する場所に作るとともに、その像から進む光を主結像レンズ５に向け最終的にＣＣＤ４上の希望の場所に結像させることができることである。【００４４】
以下に、「試料の実像を主結像レンズの実質的合焦点範囲内に形成するとともに実像を形成した後の光線が主結像レンズの方向に進むように」構成したことの意義と、「実質的合焦点範囲」の定義を記述する。【００４５】
以上詳述した、課題を解決する手段を再度まとめると、その要点は以下の２点である。
１）カメラから試料を直接みる導光路以外の方向別の導光路では、その途中に一度実像を形成し、その実像を主結像レンズから見てほぼ試料と同じ距離に作っておいたものを、主結像レンズが他の方向の像と一緒に撮影する。【００４６】
２）実像を形成してもその後の光線が主結像レンズの方向に向かわなければＣＣＤには所定の像ができないから、凹面鏡のサイズと位置の適切な選択、及び必要により平面鏡を併用することで実像形成後の光線が主結像レンズの方向に進む構成を実現すること。【００４７】
ここで「実像を主結像レンズから見てほぼ試料と同じ距離に作る」に関する「ほぼ試料と同じ距離」の許容範囲にについて考察する。実像の位置ずれδＬ（ｍｍ）がどの程度許容できるかはδＬに起因する横方向ボケ量δＹ（ｍｍ）で決まる。一般に、カメラレンズの焦点深度の考察で知られている、ボケ量δＹは位置ずれδＬと主結像レンズの実効径Ｄ（ｍｍ）の関係式のように
δＹ／Ｄ＝δＬ／Ｌ      （２）
である（図１５を参照）。ここでＬ（ｍｍ）は主結像レンズと実像までの距離である。希望するδＹの値は、測定の目的によって決まる像の位置分解能であって、例えば０．５ｍｍや１ｍｍが想定される与えられた値である。そうすると許容できる位置ズレδＬは
δＬ＝（Ｌ／Ｄ）δＹ      （３）
で与えられる。例えばδＹ＝１ｍｍを想定し、Ｌ＝３００ｍｍのとき、
Ｄ＝５０ｍｍの大口径レンズならばδＬは６ｍｍに、
Ｄ＝２０ｍｍの中口径レンズならばδＬは１５ｍｍに、
Ｄ＝２ｍｍの小口径レンズならばδＬは１５０ｍｍに、
などとなる。高感度化を目指して大口径の主結像レンズを使うほど、導光路の途中の狭い距離範囲に実像を一度結像しておく必要があることが判る。上述したδＬは、「ほぼ試料と同じ距離」の許容距離である。主結像レンズの焦点前後のプラス・マイナスのδＬの範囲、すなわち距離にして２δＬの範囲の結像を主結像レンズの「実質的合焦点範囲」と定義ずることにする。このように２δＬの範囲は、目的とする位置分解δＹと主結像レンズの口径によって変わるけれども、上記のように定義することで本発明の要件を「所要の導光路に対して試料の実像を主結像レンズの実質的合焦点範囲内に形成するとともに実像を形成した後の光線が主結像レンズの方向に進むように」構成したことの意義が明確になる。【００４８】
なお、実質的合焦点範囲内に試料の実像を形成するための光学素子としては凹面鏡を用いるのが最も実際的であるが、その他に平面鏡と凸レンズを組み合わせてもよい。平面鏡は光路の折り曲げ、凸レンズは試料の実像を作るので、凹面鏡が持つ２つの機能を独立に分担する変形である。【００４９】
実施例の説明では、上記第１の原理、第２の原理を旨く組み合わせることで、試料Ｓの複数方向の像をＣＣＤなどの二次元検出器上に作る例を述べている。【００５０】
なお、特許文献２に、背面鏡は多数の平面鏡に替えて凹面鏡でもよいという実施例が開示されているが、同じ凹面鏡でも本発明と特許文献２では凹面鏡の使い方が全く異なることを以下に説明する。【００５１】
特許文献２の図１０と同文献の図３を比べると判るように、図３の３つの平面鏡が図１０で１つの凹面鏡と交換されている。このことから特許文献２では、凹面鏡は、小さい平面鏡が多数並んでいるのと等価なものとして扱われている。図１０においても、凹面鏡の各点が各方向に相当し、それらの各点が検出器上に順次並んで投影されていることが示されている。したがって、特許文献２では凹面鏡は１つのみが使用され、その凹面鏡によって多数方向からなる１つの像を作っているといえる。【００５２】
それに対し、本発明では凹面鏡は各方向の導光路毎に配置され、試料の像を導光路内で一旦試料と実質的に同じ距離に作るのが目的で、そのことでレンズから見た試料と試料の像との距離を一致させている。また、実施例でも詳述するように、１つ凹面鏡で１つの方向の実像を作るから、例えば本発明の図１では２つの凹面鏡で２方向の２つの実像を作り、直接像と合わせて３方向の像が存在する。同様に図４Ａでは４つの凹面鏡で４方向の４つの実像を作り、直接像と合わせて５方向の像が存在する。このように両者の凹面鏡の使い方は全く異なるのである。【００５３】
（作用）
試料から複数の方向に出る光線を、それぞれの導光路により直接に又は光学素子で折り曲げて、共通の二次元検出器の異なる場所に導く。光を折り曲げる光学素子はその導光路の光を１つの検出器上で試料からの直接像から適当に離れた位置に導く機能を有する。光学素子の種類によっては、図１６Ａの平面鏡のように方向間の光路長差異のため焦点のボケが生じたり、補助レンズを必要としたりするが、本発明では光学素子の結像能力を利用することで主結像レンズから見て試料と同じ焦点位置に実像を作るので、試料から主結像レンズまでの間には、補助レンズなどの焦点補正を必要としないことが最大の利点となっている。【００５４】
以上の他の注目点として、特に安価な球面凹面球が意外にこの目的に好適であることと、球面鏡の非点収差を少なく使う工夫があることの２点が特記されるのでここで補足説明する。【００５５】
第１は、第２原理で少し延べたように、球面凹面鏡が「１倍の結像に対して特に適していること」についてである。楕円面鏡の１つの焦点から出る光は、もう一つの焦点に集まることは良く知られているが、球面鏡は楕円面鏡の２つの焦点が一致した鏡であると考えると、球面凹面鏡の曲率中心Ｃから出る光が、Ｃに無収差で結像するのは当然である。したがって結像倍率が１に近く、結像点の対ＰとＱが曲率中心Ｃから離れる距離が小さいほど綺麗な結像になることが予想される。【００５６】
図１２は球面凹面鏡の倍率１が特に有利であることを示す一例で、Ｐ点の像が凹面鏡によりＱ点に結像する場合に、倍率１の結像（中段）を倍率０．５（上段）、倍率２（下段）について収差の計算を行ったスポット図を比較したものである。それぞれの５つのスポット図は、中央（丸印を付けた図）が最も良い結像位置で、それを中心に焦点の前後のフォーカスシフト量（単位ｍｍ）の位置でのスポット図の比較である。なお、計算した条件は凹面鏡のＲ（曲率半径が１５０ｍｍで、凹面鏡に当たる光のビーム直径２４ｍｍ、∠ＰＧＱが２度の場合を計算した。左端のバーの長さは０．０５ｍｍであり、スポットの大きさを示している。【００５７】
中央丸印の結像からすぐ判るように、予想通り１倍のところが良い結像を示すことが明らかである。【００５８】
第２は非点収差の問題である。非点収差では図１３のような説明図が良く知られている。Ｇを凹面鏡に当たる丸い光ビームの中心とし、ＰＧＱが水平面にあると仮定し、Ｇから距離Ｒ（曲率半径）にある点１点Ｑから出た光の反射光の進み方を見ると、水平面の結像は本来の像Ｐの少し前のＰ１の位置にできるのでＰ１の強度分布は図のような縦一線になる。一方鉛直面の結像は少し後ろのＰ２の位置にでき、Ｐ２での強度分布は横一線になる。その中間のＰ点はＧから距離Ｒの位置にあって、本来ここに光が集まってほしい所の強度分布は丸くなるが、Ｐ１−Ｐ２の開きが大きいほどＰ点での丸いビームの直径が大きくなるから、Ｐ１−Ｐ２の開き（軸上の非点収差）が小さいことが望ましい。【００５９】
軸上の非点収差については、次の式が知られている。
Ｐ１は本来の像Ｐより前にでき、距離ＧＰ１について近似的に
2009139058.tif 000003
となる。Ｐ２は本来の像Ｐより後ろにでき、距離ＧＰ２について近似的に
2009139058.tif 000004
となる。【００６０】
したがって、Ｐ１−Ｐ２の距離（軸上の非点収差）はＧＰ１とＧＰ２の差から
2009139058.tif 000005
と書ける。また、Ｐ点は、Ｐ１．Ｐ２のほぼ中間になるから、ほぼ
2009139058.tif 000006
である。【００６１】
幾つかのβについて（７）式を計算して、曲率半径Ｒが１５０ｍｍと３００ｍｍの場合について軸上非点収差と角度βの関係を示すと表１のようになる。
【表１】
2009139058.tif 000007
【００６２】
角度βは、試料とその像の共役点（ＰとＱ）間の距離と凹面鏡の曲率半径Ｒの比で決まるから、ＰとＱが与えられるなら、Ｒを大きくすることで角度βを減らせる。従って、Ｒを２倍にすれば、βを半分にできることを考慮し、表１の計算ではＲ＝１５０ｍｍに対して、Ｒ＝３００ｍｍのときはβを半分にしたものを比較した。【００６３】
表１から判ることは、角度βを増やすと急速に（βに比例ではなくほぼβの２乗に比例して）非点収差Ｐ１−Ｐ２の開きが増えることがわかる。Ｒを２倍にすればβの２乗が（１／４）でよいため、２×（１／４）から非点収差が半分になると理解できる。【００６４】
こうして綺麗な結像を得るために重要なことは、角度β（すなわち∠ＰＧＱがなす角度）が極力小さいことである。すなわちβを小さくするような凹面鏡の配置が重要であって、補助の平面鏡Ｍ５、Ｍ６などの配置を工夫して、βを小さくするのが設計のコツといえ、実施例ではこのような条件を極力満たすようにして凹面鏡の配置を行っている。【００６５】
また、試料が大きくその全体を見ようとすると、Ｐ点とＱ点が離れるので、試料の端の焦点が少し悪くなり、反対に試料の中心部では角ＱＧＰが小さく良い焦点を結ぶ。またＲを大きくするとか、スペースを減らすため平面鏡で折り曲げを加えてＲを大きく、βを小さくするが工夫も可能である。
【発明の効果】
【００６６】
本発明によれば、１）第１の原理及び第２の原理で説明したように、主結像レンズに入る直前で方向別補助レンズを使用しないため、大口径の主結像レンズを用いる多方向同時測定が可能となった。その結果、特に明るい光学系が必要な発光測定の多方向測定を高感度で行える効果が大きい。【００６７】
２）各導光路の像が主結像レンズから等距離にできるので、裏側の像が小さくなる問題（虚像に位置が遠くなるため）も解決できた。【００６８】
３）試料と主結像レンズの間に補助レンズなど光学部品がないので構造的に簡略化されている。【００６９】
４）上記３）の効果から生じる追加的な利点として、
（４−１）主結像レンズと試料との距離を変えることで、同時に観測する方向数を選択できる。
（４−２）複数試料１方向観測と、１つの試料の複数方向観測という２種の測定法の切替えが極めて簡単になる。【００７０】
上記の効果を一口でまとめれば、「本来の目的であった、多方向像の同時測定を行うために、多方向の光線を二次元検出器の異なる場所に導く明るい光学素子の実現が可能となるとともに、付随的な２）、４）の効果を併せ持つ」といえる。【００７１】
なお導光路の途中で実像を結ばせる必要性は、必ずしも総ての導光路中という訳ではなく、主結像レンズからの虚像の距離が他の導光路の像と大きく異なる導光路についてだけに採用するだけでも有効である。例えば、以降の第２の実施例で、一部の導光路は虚像だけで実像は使わず、他の導光路だけに限って導光路中で実像を結ばせる例を述べている。また、上記の原理説明では、「試料からの直接光を受ける導光路」と「試料からの直接光を受けない導光路」で導かれた像を一括して主結像レンズで撮影する典型例を使って説明したが、「試料からの直接光を受ける導光路」を含まなくても本発明は成り立つことを、第７の実施例で述べている。【００７２】
以下本発明を適用した多数の実施例を述べるのに先立ち、本発明の要部である導光路の概念をさらに明確にするために、導光路のタイプを分類して図１７にまとめておく。実施例は図１７の３つのタイプの導光路の全て又は一部から成り立っている。【００７３】
図１７では導光路とその中を進む光線だけを強調して見やすくするために、光線が折れ曲がっているところに存在する反射鏡やレンズなどの光学素子の記載を省略してある。同図においてＳは試料、５は主結像レンズ、４は二次元検出器である。【００７４】
導光路１０２は「試料からの直接光を受ける導光路」であり、これをタイプ１の導光路と呼ぶことにする。【００７５】
導光路１０４、１０４Ａ、１０６はいずれも「試料からの直接光を受けない導光路」であるが、その内導光路１０４と１０４Ａは試料Ｓの実像がそれぞれＳ１とＳ２にできるもので、タイプ２の導光路と呼ぶことにする。すなわちタイプ２は、「試料からの直接光を受けない導光路で、実像を形成する導光路」である。タイプ２の導光路の例を１０４，１０４Ａと２種書いた理由は、実像のできる導光路はその途中で２回以上像ができていてもよく、最後の像が合焦点範囲に入っておればよいことを示すためである。すなわち導光路１０４は導光路の途中で実像が１回だけできているのに対し、導光路１０４Ａは導光路の途中で実像が２回形成され、後の方（２回目）の実像Ｓ２が主結像レンズの合焦点範囲に入って他の導光路の像とともに、二次元検出器に結像されている。【００７６】
導光路１０６は実像ができず虚像Ｓ３ができるもので、タイプ３の導光路と呼ぶことにする。すなわちタイプ３は「試料からの直接光を受けない導光路で、実像を形成しない導光路」である。【００７７】
なお、導光路中の結像の様子を示すために試料Ｓ上の４つの点Ｐ１，Ｐ２、Ｐ３，Ｐ４に注目し、それらの点から出る多数の光線のうち、主結像レンズ５の端を通る光線２本が導光路の中をどのように進むかを例示してある。Ｐ１から出て導光路１０２中を進む光線はそのままレンズ５の両端を通って二次元検出器に結像する。Ｐ２から出て導光路１０４Ａ内を進むものはＱ２’とＱ２に（合計２回）集まったのち主結像レンズ５に進み二次元検出器に結像する。Ｐ３から出て導光路１０４内を進むものはＱ３に（１回だけ）集まったのち主結像レンズ５を通り二次元検出器に結像する。Ｐ４から出て導光路１０６内を通る光線は虚像Ｑ４から出発したように進んで、主結像レンズ５に入り二次元検出器に結像する。【００７８】
すでに述べたように、タイプ１の導光路とタイプ３の導光路だけでは本特許を構成できず、タイプ２の導光路を少なくとも一つ有することが本特許の必要条件である。【００７９】
タイプ３の虚像方式で、試料の裏側を回って検出器の方に折れ曲がって進む導光路を作るとその虚像の位置が遠くにできる結果、主結像レンズ５の合焦点範囲から外れてしまうこと、無理に合焦点範囲に入れるために虚像の位置を動かす補助レンズは主結像レンズの近くに配置するしかないが、それでは他の導光路に補助レンズが重なってしまい不都合が生じることを図１６Ｃを用いて詳述した通りである。【００８０】
図１７ではタイプ１の導光路は対称の中心に配置せず意図的に少しずらしたものを例示した。以下の多くの実施例で、「試料からの直接光を受ける導光路」を対称の中心に配置する場合が多いけれども、このことは本特許の必要条件ではなく、それぞれの実施例に限定された要件であることを追記する。
【図面の簡単な説明】
【００８１】
【図１Ａ】図１Ａは本発明の原理を説明するための概略斜視図である。
【００８２】
【図１Ｂ】図１Ｂは本発明の原理を説明するための概略正面断面図である。
【００８３】
【図１Ｃ】図１Ｃは概略正面断面図（図１Ｂ）の導光路を表示した図である。
【図１Ｄ】同原理図においてレンズから下をみたときの試料とその像を示す平面図である。
【００８４】
【図２】本発明における第２の原理を説明する概略正面断面図である。
【００８５】
【図３Ａ】本発明における第２の原理の変形原理を説明する概略正面断面図である。
【００８６】
【図３Ｂ】図３Ａにおける凹面鏡Ｍ１が関係する部分だけを抜き出して示す概略正面断面図である。
【００８７】
【図４Ａ】５方向の像を撮影する第１の実施例を示す概略正面断面図である。
【００８８】
【図４Ｂ】同実施例において撮影される像を示す平面図である。
【００８９】
【図５Ａ】本発明の生体画像撮影装置で使用する照明用光源部の一例を示す概略斜視図である。
【００９０】
【図５Ｂ】同照明用光源部における励起光源と励起用干渉フィルタの特性の一例を示すスペクトル図である。
【００９１】
【図６Ａ】５方向の像を撮影する第２の実施例を示す概略正面断面図である。
【００９２】
【図６Ｂ】同実施例において撮影される像を示す平面図である。
【００９３】
【図６Ｃ】同６Ｂの各方向の像を画像変換部によって並べ直した図である。
【００９４】
【図６Ｄ】１つの方向の像についての歪曲補正を説明する図である。
【００９５】
【図６Ｅ】二次元検出器の後に続く画像取得回路と画像変換部を示すブロック図である。
【００９６】
【図７Ａ】試料の上下左右の４方向の像を撮影する第３の実施例を示す概略斜視図である。
【００９７】
【図７Ｂ】同実施例において撮影される像を示す平面図である。
【００９８】
【図７Ｃ】同実施例における裏側の平面鏡の作用を説明する概略正面断面図である。
【００９９】
【図８Ａ】測定方向の数を可変にできる第４の実施例で５方向測定を行う状態を示す概略正面断面図である。
【０１００】
【図８Ｂ】同実施例において３方向測定を行う状態を示す概略正面断面図である。
【０１０１】
【図８Ｃ】同実施例において１方向測定を行う状態を示す概略正面断面図である。
【０１０２】
【図８Ｄ】同実施例におけるカメラ移動機構を示す斜視図である。
【０１０３】
【図９】同実施例においてカメラに代えて試料を移動させるように変形した実施例を示す概略正面断面図である。
【０１０４】
【図１０Ａ】複数試料の１方向観測と１試料の複数方向観測を切替え可変にした第５の実施例で１試料の５方向測定を行う状態を示す概略正面断面図である。
【０１０５】
【図１０Ｂ】同実施例において多数試料の１方向観測を行う状態を示す概略正面断面図である。
【０１０６】
【図１１Ａ】凹面鏡の曲率中心を移動させることのできる第６の実施例で曲率中心を試料の近くに寄せた状態を示す概略正面断面図である。
【０１０７】
【図１１Ｂ】同実施例において曲率中心を試料から遠ざけた状態を示す概略正面断面図である。
【０１０８】
【図１２】球面凹面鏡使用時に倍率１が特に有利である事を示す光線追跡図である。
【０１０９】
【図１３】凹面鏡の非点収差を説明する概略斜視図である。
【０１１０】
【図１４】試料からの直接像を利用しない第７の実施例を説明する図である。
【０１１１】
【図１５】主結像レンズの「実質的合焦点範囲内」の定義を説明する図である。
【０１１２】
【図１６Ａ】図１６Ａは生体画像撮影装置として考えられる多面鏡方式で、試料の斜め裏側の像を撮影するための概略構成と、像間距離補正用の補助レンズの効果とを説明する図である。
【０１１３】
【図１６Ｂ】図１６Ｂは生体画像撮影装置として考えられる多面鏡方式で主結像レンズの口径が小さい場合に補助レンズ位置での導光路の重なりを説明する図である。
【０１１４】
【図１６Ｃ】図１６Ｃは生体画像撮影装置として考えられる多面鏡方式で主結像レンズの口径が大きい場合に補助レンズ位置での導光路の重なりを説明する図である。
【０１１５】
【図１７】図１７は導光路の３種のタイプの区別を説明する概念図である。
【符号の説明】
【０１１６】
４      ＣＣＤ
５      主結像レンズ
Ｍ１−Ｍ６      凹面鏡又は平面鏡
【発明を実施するための最良の形態】
【０１１７】
（第１の実施例）
［５方向の同時観測法用の光学系］
５つの方向から同時観測する場合を例として、図４Ａと図４Ｂを用いて説明する。図４Ａにおいて、中央に配置した試料Ｓに対して、真上（観測角度０度方向）に主結像レンズ５及びＣＣＤ４が配置され、４つの凹面鏡Ｍ３、Ｍ１、Ｍ２、Ｍ４がそれぞれ観測角度６０°、１３５°、２０５°、３００°の方向に配置されている。すなわち０度方向の導光路は試料Ｓから直接にレンズ５に進む光が占める領域であり、６０°方向の導光路は試料Ｓ→凹面鏡Ｍ３→平面鏡Ｍ５→レンズ５の順に進む光の占める領域であり、同様に１３５°方向は試料Ｓ→凹面鏡Ｍ１→レンズ５、２０５°方向は試料Ｓ→凹面鏡Ｍ２→レンズ５、３００°方向は試料Ｓ→凹面鏡Ｍ４→平面鏡Ｍ６→レンズ５にそれぞれ進む光の占める領域である。このうち１３５°、２０５°方向の導光路中、凹面鏡Ｍ１、Ｍ２による試料Ｓの実像が原理１のようにしてＳ１、Ｓ２の位置にできており、一旦結像した後主結像レンズ５に向かって進み、再びＣＣＤ４上で結像する。また、６０°方向及び３００°方向の導光路中では、斜め上の凹面鏡Ｍ３とＭ４の実像がＳ３、Ｓ４にできているが、これは原理２の説明のように折り曲げ鏡Ｍ５とＭ６の効果によって実像から進む光の方向と実像の場所を必要な条件に変換した結果による。【０１１８】
ここで、試料Ｓの下部の注目点Ｐから出る光は凹面鏡Ｍ１により実像Ｓ１上の点Ｑに一度結像し、主レンズ５により、二次元検出器４上にもう一度結像している。また、試料Ｓ上の上部の注目点Ｈから出る光は凹面鏡Ｍ３と折り曲げ鏡Ｍ５で反射し実像Ｓ３上のＩ点に一度結像し、さらにレンズ５によってもう一度二次元検出器４上に結像していることがわかる。【０１１９】
これら４つの実像Ｓ１−Ｓ４と試料Ｓは、レンズ５が焦点を結ぶことのできる同等の距離にあるから、試料Ｓと４つの像の合計５つの像を同時にＣＣＤ４上に結像し撮影することができる。この結果ＣＣＤ４上の試料の５方向像は、図４Ｂのようになり、左からＳ３（観測方向６０度）、Ｓ１（観測方向１３５度）、Ｓ（観測方向０度）、Ｓ２（観測方向２０５度）及びＳ４（観測方向３００度）である。中央の像だけマウスの頭の像の向きが反対になっている。【０１２０】
この５方向測定光学系は、試料とカメラ（レンズ５とＣＣＤ４）の間に焦点調節用の補助レンズなどの光学部品を挿入する必要が全くないことが特徴で、５つの導光路が主結像レンズ５の近くで互いに重なっていても何ら問題なく、口径が大きい主結像レンズを用いることができる。すなわち図１６に示した問題点が解決されている。当初からの狙いである可動部分もなく、多方向の観測像を一度に共通のＣＣＤ４上に結像することができる明るい観測系が実現できている。【０１２１】
［蛍光測定についての実施例の追加の説明］
上述の説明は、化学発光又は生物発光モードの場合であって、試料中の分子プローブ自身が発光するときに該当する。次に分子プローブが励起光を受けたとき蛍光を生じることで発光する系、すなわち蛍光モードへの利用法につて説明する。照明用光源部ＩＬ１、ＩＬ２、ＩＬ３、ＩＬ４及びＩＬ５（ＩＬはilluminationを表す）が５箇所備えてあり、各光源部の中に含まれる蛍光励起光源が試料Ｓを照射し、試料Ｓから発生する蛍光を５方向の蛍光像としてＣＣＤ４に結像させて撮影する。なお主結像レンズ５の前に蛍光用（励起光除去）フィルタＦEMを挿入できるようになっており、蛍光測定時は励起波長成分をこの励起光除去フィルタＦEMで阻止することで、蛍光だけによる画像をＣＣＤ上に作るようになっている。【０１２２】
照明用光源部ＩＬ１、ＩＬ２、ＩＬ３、ＩＬ４及びＩＬ５の具体的な構成例を図５Ａに示した。図５Ａの例では照明用光源部は３つの異なる種類の光源Ａ、Ｂ及びＣから成り立っている。光源Ａは後述するように、生体試料４を照明して外観画像を撮像するための白色ＬＥＤである。光源Ｂ及びＣは蛍光励起光源であり、光源Ｂは波長λ１の励起光を発光する発光素子レーザダイオード（以降ＬＤと省略）ＬＤλ１と、発光素子ＬＤλ１の発光側に取り付けられた励起側干渉フィルタＦexλ１からなる。光源Ｃは波長λ２の励起光を発光するＬＤからなる発光素子ＬＤλ２と、発光素子ＬＤλ２の発光側に取り付けられた励起側干渉フィルタＦexλ２からなる。ただし、光源Ｂ及びＣは、必要に応じて干渉フィルタＦexλ１、Ｆexλ２の後に生体試料全体に光を照射するための発散レンズ（図示は省略）を追加することもできる。ここで、図５Ａに示す３種類の光源Ａ、Ｂ及びＣの選択は、機械的な切替えなしで単に点灯の電源のオン・オフによって行うことができる。したがって、各照射方向ＩＬ１、ＩＬ２、ＩＬ３、ＩＬ４及びＩＬ５に配置されたそれぞれの光源Ａ、Ｂ及びＣの点灯のオン・オフによって、機械的な切替えなしで光源の方向ＩＬ１、ＩＬ２、ＩＬ３、ＩＬ４及びＩＬ５と光源の種類（Ａ、Ｂ及びＣ）の指定を行う。【０１２３】
次に、励起光源と励起用干渉フィルタの特性について図５Ｂを用いて説明する。図５Ｂは光源Ｂの発光素子ＬＤλ１とその発光側に取り付けられた干渉フィルタＦexλ１との関係を示したものである。発光素子ＬＤλ１は単一波長λ１の光だけを発光すると思われがちであるが、実際には弱い裾の発光を伴なっている。その裾の部分には二次元検出器ＣＣＤ４の入射側に設けられた励起光除去フィルタである蛍光側フィルタＦEMを透過する波長成分が含まれており、そのような波長の光が生体試料に向けて照射されると、生体試料で発生した蛍光成分とともに蛍光側フィルタＦEMを透過して二次元検出器４に入射する。その結果、撮影した蛍光撮像画像に試料の蛍光以外の漏れ光成分による迷光が重なり蛍光の検出感度を下げてしまう。【０１２４】
そこでこの実施例では、発光素子ＬＤλ１の発光側に発光波長の裾の部分の光を遮光する干渉フィルタＦexλ１を取り付けて、蛍光側フィルタＦEMの透過域にある発光素子ＬＤλ１からの励起光成分を除去している。これにより、蛍光側フィルタＦEMを透過する光は生体試料からの蛍光成分のみとなり、二次元検出器４上の撮像画像に迷光が混入にすることによる蛍光検出能力の低下を防止できる。【０１２５】
なお、上記では光源Ｂについて説明したが、光源Ｃについても光源分Ｂと同様の構成である。【０１２６】
照明用光源部ＩＬ１、ＩＬ２、ＩＬ３、ＩＬ４及びＩＬ５に含まれる蛍光励起光源として、ＬＤやＬＥＤを使うなら電気回路のオン・オフにより必要な光源だけを自由に点灯消灯できるので、５方向の光源を総て点灯して、蛍光を測定することができるほか、必要な組合わせだけを選択的に点灯させて蛍光画像測定を行うこともできる。こうすると、試料から見るとき、前から励起光を照らすときの蛍光画像だけでなく、後ろからだけとか、横からだけ照らすときの画像が得られるから、動物からの５方向の画像それぞれに対して励起方向の異なる５つの画像を得るから合計２５枚の画像を５回の露光で得ることができる。２５枚の画像から動物の体内の浅い位置に発光源があるか、深い位置に発光原があるかを推定できる。すなわち、浅い位置の発光源なら、２５枚のどれかの画像中の被写体の小さい部分が強く光ることが推測されるのに対し、深い発光源ならば２５枚のどの画像にも拡散した発光分布になるからである。【０１２７】
こうして蛍光励起方法は可動部分が無くて単に励起光の点滅だけで、試料の前横後ろから励起する、励起方法を自在に設定できることである。こうして蛍光モードの場合でも、試料の全周にわたる多方向から励起・観測画像を簡単に得られることを示した。【０１２８】
上記において蛍光励起光を試料から「離れて」照射する例を示したが、さらに照明用光源部ＩＬ１等を試料に密着して照射する変形も可能である。この場合は照明用光源部を小さく作って例えばマウス腹部の測方の左右に２つの照明用光源部をあてがい照射するなどである。密着照射の利点は、試料の注目しないところの励起を避け試料の注目する部位（例えば注目する内臓）だけを選択励起しやすいことである。試料の広範囲を励起するとどうしても測定の妨害となる試料の盲蛍光も一緒に励起されてしまうので、それを避ける効果を重視した励起法である。この場合も観測は多方向で行うから、例えば５方向の「密着励起蛍光観測像」が得られる。【０１２９】
密着照射の欠点は、照明用光源部が観測像の一部を遮ることであるが、これは「注目部位の選択励起の利点」と「画像遮蔽の不利」のどちらを優先するかの判断による。密着照射ように照明用光源部を極力小さく作って対処する。【０１３０】
また、図５Ａに示した光源のうち、Ａで示した光源は、白色ＬＥＤであって試料の外観像を撮影するときに点灯させる。発光像、蛍光像のいずれの場合に置いても、試料のどの部分が光っているかを知るために発光測定や蛍光測定の前又は後に白色ＬＥＤ照明の画像を取得しておく。画像解析時に、外観照明のデータを発光画像又は蛍光画像に重ねた図で比較するとか、外観照明のデータと発光画像又は蛍光画像を並べて比較することで、該当の場所が外観図のどの部位に当たるかを知ることができる。【０１３１】
以上述べた励起光源と外観照明光源は、非常に重要であるけれども本発明とともに用いられる要素であるだけで、本発明の要部ではないので、第１の実施例の図にのみ記入して説明を行った。以降の実施例については、同様の光源を試料の周りで反射鏡などをさけて必要な場所に配置しさえすればよいから、以後の実施例では光源に関する記述は省略する。【０１３２】
また、観測方向と光源の照射方向は独立であって、以降の実施例において、観測方向が２方向、３方向、４方向及び５方向の例を述べるが、照射方向及び、照射方向の数は観測方向と関わりなく、例えば３方向照射下での２方向観測、４方向照射下での３方向観測、５方向照射下での５方向観測など、装置の構成について自由に設計することができる。【０１３３】
（第２の実施例）
第１の実施例における５方向測定のうち、「斜め上から見た像」を得るための手段である２つの凹面鏡を平面鏡に変更した方式であって、図６を用いて説明する。「斜め上から見た像」を得るための凹面鏡（図４ＡのＭ３及びＭ４）に替えて、試料Ｓの斜め上方に配置した平面鏡Ｍ５及びＭ６によってそれぞれ虚像Ｓ３とＳ４を作っている。すなわち５つの導光路のうち、斜め上の観測方向の２つが、試料Ｓ→平面鏡Ｍ５→レンズ５、及び試料Ｓ→平面鏡Ｍ６→レンズ５にそれぞれ代わっており、他の３つの方向の導光路は、第１の実施例と同じである。斜め上の観測方向の導光路の光路長は、平面鏡で折り曲げるため試料Ｓから直接にレンズ５に達する導光路の光路長より僅かに長いので、平面鏡Ｍ５及びＭ６によるそれぞれの虚像Ｓ３及びＳ４は、実像Ｓ１、Ｓ２及び試料Ｓに比べ僅かにレンズ５より遠くなる。第１の実施例のような、試料Ｓ及び実像Ｓ１、Ｓ２、Ｓ３、Ｓ４の総てがレンズ５から厳密な等距離にできる理想的条件ではないけれども、（Ｓ３、Ｓ４）と（Ｓ１、Ｓ、Ｓ２）との距離の差は軽微で、斜め上の観測方向の導光路中に補助レンズを入れなくても実用上許容できるレベルである。すなわち、平面鏡Ｍ５及びＭ６は、それぞれの虚像Ｓ３及びＳ４をレンズ５の実質的合焦点範囲内に形成し、虚像Ｓ３及びＳ４を形成した後の光線がレンズ５の方向に進むという条件を満たすように配置されている。【０１３４】
この実施例の結像を要約すれは、０°方向は、試料Ｓをそのままレンズ５でＣＣＤ４上に結像する。斜め上の２つの方向の導光路では中間での結像はなく、虚像Ｓ３、Ｓ４をレンズ５でＣＣＤ４上に結像する。斜め下の２つの観測方向の導光路だけが導光路の途中で一旦結像し、再度レンズ５でＣＣＤ４上に結像する。【０１３５】
このように第２の実施例は凹面鏡で実像を作る手法と、平面鏡だけで虚像を作る方向を組み合わせた折衷方式であるが、「斜め上から見た像」についての虚像を作る方式の悪影響が軽微であり本格的な第１の実施例よりやや簡単になるので実用的に有利な方法といえる。言い換えれば、平面鏡の虚像が極度に遠くになる、斜め下の導光路だけに限り凹面鏡を挿入して、導光路の中間での結像を行う実施例である。【０１３６】
またこの実施例では、ＣＣＤ４上にできる像は図６Ｂのようになり、図４Ｂと比べると両端の像Ｓ３及びＳ４が少し小さくなるとともに、頭としっぽの方向が反対になっている。このような像の違いは、適当な画像変換ソフトによって最終的に、像の順番と向きの変更、大きさを調節することができる。例えば、図６Ｅに示したＣＣＤ４の画像取得回路２０に続く画像変換部２２の中に前述の画像変換ソフトを備えておき、表示部２４に表示するときに図６Ｂの画像を図６Ｃのように変換する。この変換では、Ｓ１（１３５°）とＳ２（２０５°）の像を１８０°反転させると共に、Ｓ３（６０°）とＳ４（３００°）の配列順序を入れ替えることでマウスの向きを一致させ、観測角度の順番をそろえてある。またＳ３（６０°）とＳ４（３００°）は左右を反転すると共に、小さく写っている像の大きさを拡大して表示する。【０１３７】
さらに、凹面鏡による像は、図６Ｄの左のような歪曲を受けることがある。元々真っ直ぐな線が凹面鏡によって曲線に変形して撮影される。しかし変形の大きさは既知であるので図のような升目を撮影し、これが同図右の正しい直角の図形になるような歪曲補正をほどこすことができる。歪曲補正ソフトを、前述の画像変換部２２の中に入れておき、必要に応じ歪曲補正を行った後、図６Ｃのように再配列することで対処できる。なお、このような画像変換は第２の実施例に限らず総ての実施例で可能であることは当然である。【０１３８】
（第３の実施例）
試料の体全体でなく、その一部、例えば試料であるマウスの頭部（脳）について、上下左右の４方向からの測定を行う反射鏡の組み合わせの例を示す実施例であり、図７Ａ−７Ｃを用いて説明する。【０１３９】
試料Ｓの上部に主結像レンズ５とＣＣＤ４を配するのはこれまでと同じであるが、試料Ｓの左側面の像を凹面鏡Ｍ１で受け、これを平面鏡Ｍ３で折り曲げてレンズ５に向かわせる。同様に試料Ｓの右側面の像を凹面鏡Ｍ２で受け、これを平面鏡Ｍ４で折り曲げてレンズ５に向かわせる。この手法は図２を使って述べた第２の原理そのままであって、試料Ｓの横方向の像Ｓ２、Ｓ３が試料Ｓの両側にできる。【０１４０】
一方、試料の下側方向の光は、平面鏡Ｍ６で凹面鏡Ｍ５に向かい、その反射光が再び平面鏡Ｍ６で上向きに曲げられてレンズ５の方向を向かう。この部分の光の進み方の説明のために用意した図が図７Ｃである。凹面鏡Ｍ５によって試料Ｓの実像が、試料のマウスの頭の先に置かれた凹面鏡Ｍ５の中心Ｃ５（Ｃ５は平面鏡Ｍ６による像である）に対して点対称にＳ３のようにできている。マウスの頭部の下部注目点Ｐの像は平面鏡Ｍ６による２回反射と凹面鏡Ｍ５によってＱ点にできており、これを上から、試料の裏側像として観測できることが判る。この裏側方向の結像原理は、図３Ａ、３Ｂで説明した折り曲げ鏡を用いる第２原理の追記とほぼ同じである。違いは図３Ａの平面鏡Ｍ５とＭ６が一体化して図７Ｃの平面鏡Ｍ６になっていると解釈できる。図３Ａのように平面鏡を２つに分離すれば、観測角が自由に選べ、例えば真下の１８０度方向をレンズ５の方向に向けることができるが、図７Ｃでは平面鏡の共通化で構成が簡単になるのと引きかえに、下側の観測はわずかに斜めになっている。【０１４１】
このようにして、左・右・下の３つの像と正面（上側）の４つの像が４つの導光路で主結像レンズまで導かれ、ＣＣＤ上に図７Ｂのようにできている。試料Ｓの全体を写すことを狙わず、一部に限っているので、凹面鏡及び平面鏡のサイズを小さくすることができる。
結像の回数は、正面方向がＣＣＤ上で１回だけ、その他の３方向が、それぞれの導光路の途中で１回、ＣＣＤ上で１回、計２回となる。【０１４２】
（第４の実施例）
カメラと試料の間の距離を変えることで測定方向の数を可変にできる実施例である。図８Ａ−８Ｄを用いて説明する。図８Ａ、８Ｂ、８Ｃのように、レンズ５とＣＣＤ４を含むカメラ１０を上下に移動して、試料Ｓからレンズ５までの距離を変えるなら、５方向、３方向、１方向の３つのケースを簡単に選択することができる。【０１４３】
図８Ｄはカメラ１０を移動する上下スライド機構１２の例であって、通常リニアガイドと駆動モータなどを用いて実現されるスライド機構である。カメラ１０を試料に接近させると、焦点合わせのためにレンズ５の繰り出しを行う必要があるが、これも通常のカメラで手動又は自動で行われている公知の手段である。【０１４４】
５方向ができれば、３方向、１方向をわざわざ選択する必要がないように思われるかもしれないが、実際には「利用光量の大小」と「方向数の大小」が競合になることを指摘しておく必要がある。すなわち、カメラ１０が試料に接近すると試料から見たレンズ５の立体角が大きくなるから、立体角に比例して試料単位面積あたりの多くの光量をＣＣＤ４に導くことができる。特に光量の弱い発光測定では測定時間が１分とか５分とか長時間にわたるので、場合によっては試料に接近して、短時間に少ない方向数で測定する方が好ましいことがある。逆に発光が強いため情報の多い多方向測定が好ましい場合もあるなど、ケースバイケースになる。そこで、観測する試料の数や、許された測定時間など、全体の配慮から、「利用光量の大小」と「方向数の大小」を選択可能にすることが望ましい。この実施例は、そのような要請に応えるものである。【０１４５】
本実施例を再度まとめるなら、ｎを整数として、主結像レンズ５の合焦点面内で、試料Ｓから側方方向に距離の異なる位置に実像を含むｎ個の像を形成するｎ個の導光路と、試料からの直接光を受ける導光路とからなる合計ｎ＋１個の導光路を備え、主結像レンズ５と試料Ｓとの距離が可変になるように主結像レンズ５が移動可能に支持されており、主結像レンズ５と試料Ｓとの距離を変えることで、同時に主結像レンズ５の視野に入る方向数を（ｎ＋１）個及びそれより少ない数のうちから選択できるようにしたものである。【０１４６】
この実施例は、本発明の特徴である、補助レンズなど試料とカメラの間に部品を配置する必要がない利点が功を奏して、カメラの接写機能を十分に発揮できる実施例の１つといえる。【０１４７】
図９は、カメラと試料間の距離を変える異なる実施例の説明図である。カメラを移動させる機構の代りに、試料の設定位置を上部（３方向用）と下部（５方向用）に作っておき、いずれの位置を使うかの選択によってカメラと試料間の距離を選ぶ方法である。５方向を使うときは上側の凹面鏡Ｍ１’とＭ２’が邪魔になるので、待避機構を設けて自動又は手動で凹面鏡Ｍ１’とＭ２’を横にずらすことで対処できる。
また、さらに異なる変形例として、観測視野を変える手段としてカメラと試料間の距離を変える代わりに、主結像レンズの焦点距離を可変にする方法もある。主結像レンズの焦点距離を変える手段としては、主結像レンズとして異なる焦点距離のレンズを複数個用意しておきスライド式又は着脱式で交換する、焦点距離の段階的可変方法がある。また、当然ながら可変焦点距離のレンズを使ってもよい。可変焦点距離のレンズとしては、主結像レンズの構成の一部のレンズを移動又は着脱するとか、連続的な可変焦点距離が得られるいわゆるズームレンズを用いてもよい。このような「主結像レンズの焦点距離を可変にすることで観測方向数を変える」方式は、前述の試料・カメラ間の距離移動方式に比べ、カメラを移動する図８Ｄのような機構が不要となる反面、主結像レンズの側の機構が複雑となって費用がかかる。とりわけ極度に明るい可変焦点レンズは一般に得難く、得られるとしても高価になる欠点がある。
以上をまとめるなら、試料・カメラ間距離可変方式と可変焦点距離方式にはそれぞれ、一長一短があるけれども、いずれかの方法で観測視野を選ぶことで観測方向数を可変にすることが、弟４の実施例の要点である。【０１４８】
（第５の実施例）
複数試料の１方向観測と、１つの試料の複数方向観測という２種の測定法を切り替え可能にする実施例であって、図１０Ａ、図１０Ｂを用いて説明する。【０１４９】
図１０Ａは、これまで述べた１試料５方向測定の使用法である。試料Ｓは透明試料台１４に載置されている。この透明試料台１４に代えて、図１０Ｂのような光遮断材質の試料台１６を用いる。その試料台１６はカメラが直接観測できる方向以外の光線を遮断するとともに、試料台１６上に５頭のマウスを試料として配置できる大きさをもっている。すなわち、光遮断性試料台１６を備えることで５頭のマウスの１方向並列測定が可能となる。この場合に、ミラーなどの光学系の変更は全く必要がないので、試料部の試料台だけの交換で、複数試料１方向観測と１つの試料の複数方向観測の切り替えが簡単に行えるところに意義がある。【０１５０】
多方向観測は確かに望ましいが、マウスの観測部位が決まっていてわざわざ裏の方向を見る必要がない実験もありうる。すなわち多方向観測を止めて、それよりも多数のマウスを一度に測りたい場合に備えた利用法である。【０１５１】
光学系の変更なしでこの切替えが可能になるのは、試料Ｓとレンズ５の間の空間が空いているという、繰り返し強調した利点の効果である。【０１５２】
（第６の実施例）
凹面鏡の曲率中心Ｃ１を移動させることのできる実施例について図１１Ａに示した。本発明の第１の原理のところで繰り返し述べたように、凹面鏡の曲率中心Ｃ１などに対して、試料とその実像が点対称に形成されることを利用する。曲率中心Ｃ１を変位させれば試料とその隣にできる像との距離を変えることができる。図１１Ａでは凹面鏡の曲率中心位置調整ネジＳＣ１、ＳＣ２を用いて凹面鏡の角度を可変にし、曲率中心Ｃ１及びＣ２の位置を変えている。図１１Ａでは、曲率中心Ｃ１及びＣ２が試料の近くに寄っており、小さい試料の測定に適する。試料Ｓが大きくなるとき、そのままで観測しようとすると試料Ｓとその像が重なってしまうので、曲率中心Ｃ１及びＣ２を試料から遠ざけるように移動させると、図１１Ｂのように像が試料Ｓから離れる。ただカメラの視野からはみ出すかもしれないので、そのときは必要に応じてカメラの上下移動機構を用いてカメラを上に移動させ、大きい試料の３つの像がＣＣＤ４上に収まるようにすればよい。このように、カメラの移動で視野範囲を選ぶ機能と凹面鏡の曲率中心を移動させる機構を組み合わせることで、マウスなどの試料の大小に拘わらず最も効率的な測定を自在に行うことができるようになる。【０１５３】
（弟７の実施例）
この実施例は第３の実施例と同様に、試料の体全体でなく例えばマウスの頭部を４方向から同時撮影を行う実施例である。ただ、これまで述べた実施例とは異なり、試料Ｓからの直接の像を利用しない方式であり、図１４を用いて説明する。図１４は４つの方向の各導光路の途中で一旦結像を行った後、その像を主レンズ５で二次元検出器に導くが、これまでの実施例と異なる点として、マウスを横置きでなく、立てており、その体軸が上の主結像レンズ５の方向に向いていることである。マウスを立てておき試料ホルダーへは適当なテープで貼り付けてもよいし、細い網で試料ホルダーに固定する方法でもよい。また、この図を全体として９０度右に倒すならば試料ホルダーの上に普通にマウスを横方向に配置できる。【０１５４】
したがって、この例のポイントはマウスの体軸方向に主結像レンズを配しながら、体軸の周囲の多数方向の同時撮影を意図したことである。【０１５５】
さて、図１４において、試料Ｓの体軸の周囲４方向の９０度毎に凹面鏡Ｍ１，Ｍ２，Ｍ３，Ｍ４が配置されている。ただ、この図では、紙面方向が断面方向であるため、凹面鏡Ｍ１とＭ３だけの断面が現れており、紙面の垂直方向に位置する凹面鏡Ｍ２とＭ４は現れていない。すなわち凹面鏡Ｍ２は紙面の手前側に、凹面鏡Ｍ４は紙面の背面側に配置されている。また、平面鏡Ｍ１１，Ｍ１２，Ｍ１３，Ｍ１４が試料の上部に配置されている。ここでも、平面鏡Ｍ１１とＭ１３の断面が記載されているが、平面鏡Ｍ１２とＭ１４は紙面の垂直方向に離れているので、図では記載されていない。平面鏡Ｍ１２が紙面の手前側に、平面鏡Ｍ１４は紙面の背面側にある。４つの平面鏡Ｍ１１，Ｍ１２，Ｍ１３，Ｍ１４のそれぞれの形状は三角形であり、４つの三角形が四角錐の形（ピラミッド形）に配置されている。その断面が図での平面鏡Ｍ１１とＭ１３として現れている。また、紙面上にある２つの導光路Ｇ１，Ｇ３の断面を斜線で示してある。【０１５６】
試料Ｓの１点Ｐから出る光は凹面鏡Ｍ１で反射されＱ点に一旦結像し、さらに平面鏡Ｍ１１で折り曲げられてレンズ５に向かって進み、レンズ５によってＣＣＤ４上に最終的に結像する。すなわち試料Ｓから凹面鏡Ｍ１に向かって進む沢山の光線は、導光路Ｇ１（斜線で示す）の途中の平面鏡Ｍ１１の近傍で中間の結像をなした後、最終的にＣＣＤ４の一部に試料Ｓであるマウスの頭部の像を結像する。マウスの頭部の裏側（右側）の１点Ｈから出る光も同様に凹面鏡Ｍ３で反射され、平面鏡Ｍ１３近傍の点Ｉに結像したのち、再び拡がりながらレンズ５に向かいレンズ５によってＣＣＤ４上の１点に結像される。このように試料から凹面鏡Ｍ３に向かって進む沢山の光線は、導光路Ｇ３の途中で平面鏡Ｍ１３の近傍で中間の結像をなした後、最終的にＣＣＤ４の一部にマウスの頭部の像を結像する。導光路Ｇ２とＧ４（どちらも図に現われていない）は、試料Ｓから紙面の手前側と背面側にそれぞれ出て、それぞれ紙面の手前側と背面側にある凹面鏡Ｍ２とＭ４で反射し、四角錐をなす平面鏡Ｍ１２，１４で反射してレンズ５を介してＣＣＤ４上に結像する。【０１５７】
このようにして体軸の周囲の９０°毎の４つの導光路の途中で一旦マウスの頭部のそれぞれの４方向の像を作った上、さらにレンズ５によってＣＣＤ４上に再結像される。【０１５８】
すでに述べたように、試料Ｓから直接レンズに向かう方向は、錐体状に形成された平面鏡Ｍ１１，Ｍ１２，Ｍ１３，Ｍ１４によって遮られるので、結像に使われない。【０１５９】
第７の実施例は体軸に垂直な４方向の像が試料（マウス）の体軸に対称に作られた光学系で結像されるとともに、体軸方向の直接像は撮影しないところに特徴がある。【０１６０】
なお、上記例では体軸の回りの９０°毎の分割であったが、分割数を増減し、例えば６０°毎にすることもできる。６方向では体軸回りの凹面鏡の数は６枚、試料Ｓのマウスの頭部に被せる平面鏡は六角推となるように組み合わせばよい。【０１６１】
最後にこれまでに述べた実施例について、図１７を用いて説明した導光路のタイプと数とを整理すると、以下のようになる。【０１６２】
第１の実施例（図４Ａ）は、タイプ１の導光路が１つ、タイプ２の導光路が４つで、合計５つの導光路から構成される。【０１６３】
第２の実施例（図６Ａ）は、タイプ１の導光路が１つ、タイプ２の導光路が２つ、タイプ３の導光路が２つで、合計５つの導光路から構成される。【０１６４】
第３の実施例（図７Ａ）は、タイプ１の導光路が１つ、タイプ２の導光路が３つ、合計４つの導光路から構成される。【０１６５】
第４の実施例の前半（図８Ａ、図８Ｂ、図８Ｃ）では、タイプ１の導光路が１つ、タイプ２の導光路が４つ、合計５つの導光路が用意されるが、その中から主結像レンズの視野を選択することで必要な導光路を選択する構成である。【０１６６】
第４の実施例の後半（図９）ではタイプ１の導光路が１つ、タイプ２の導光路が２つ、タイプ３の導光路が２つ、合計５つの導光路が用意されるが、その中から試料位置の選択で５つ又は３つの導光路を選択使用する構成である。【０１６７】
第５の実施例では、複数方向の選択時のみ、タイプ１の導光路１つ、タイプ２の導光路が４つ、合計５つの導光路を使用する。【０１６８】
第６の実施例は、タイプ１の導光路１つ、タイプ２の導光路が２つ、合計３つの導光路から構成される。【０１６９】
第７の実施例は、タイプ１の導光路を含まず、タイプ２の導光路４つだけから構成される。【０１７０】
上記のいずれの実施例においてもタイプ２の導光路が必ず含まれるのに対して、タイプ１とタイプ３の導光路は含まれない場合があると言うことになる。【０１７１】
また、これまでに述べた第１から第７の実施例の全てにおいて、１つのカメラ（主結像レンズと二次元検出器をまとめてカメラという。）を利用する典型的な場合だけを扱ってきた。しかし本発明は２つ以上のカメラを用いるときにも拡張できることは当然である。例えば方向別に用意された６つの導光路が導くそれぞれの画像を２つのカメラが適宜分担して受光する方式が可能である。この場合、導光路の分担は例えば第１のカメラが３つの導光路の画像を分担、第２のカメラが残り３つの導光路の画像を分担して受光する方式が考えられる。それぞれのカメラは、指定された複数の方向の画像を一括して受光し、二次元検出器の異なる位置に結像するようになっている。【０１７２】
また、別の例としては図１Ｂの変形として、第２のカメラを凹面鏡Ｍ１とＭ２の間の隙間に追加配置し、試料Ｓの真下方向の像を撮影するようにした場合である。図１Ｂの本来のカメラ（主結像レンズ５と二次元検出器４）を第１のカメラとみなすと、第１のカメラが３方向（上、両方の斜め下）を分担、第２のカメラが真下方向を分担して合計４方向となる。この場合は第２のカメラ自身は１つの方向の画像しか分担しないため、本発明は適用されていないが、全体の装置としては第１のカメラが本発明を適用しており、指定された複数の方向の導光路で導かれた画像を一括して受光し二次元検出器の異なる位置に結像するようになっている。【０１７３】
さらに言えば、カメラが１つだけのときでも、図８Ａ，Ｂの実施例において導光路自体は５つ用意されているが、その内の５つ全てを受光する図８Ａの場合に加え、両端の導光路の２つを無視して３つ導光路を受光する図８Ｂの場合もあり、用意された全ての導光路中より、指定された複数の方向の導光路を選び一括して受光している。以上述べたごとから、再度本発明の要点をまとめるなら、方向別に用意された導光路が多数あり、必要に応じその全て又は一部（但し複数の）によって導かれた複数方向の画像を二次元検出器の異なる位置に結像するようになっていること、及び多数の導光路の内の一つ以上が、図１７に示したタイプ２である。すなわち、最後の二次元検出器上の結像だけではなく導光路の途中でも結像するようになっていることである。
【図１Ａ】
2009139058.tif 000008
【図１Ｂ】
2009139058.tif 000009
【図１Ｃ】
2009139058.tif 000010
【図１Ｄ】
2009139058.tif 000011
【図２】
2009139058.tif 000012
【図３Ａ】
2009139058.tif 000013
【図３Ｂ】
2009139058.tif 000014
【図４Ａ】
2009139058.tif 000015
【図４Ｂ】
2009139058.tif 000016
【図５Ａ】
2009139058.tif 000017
【図５Ｂ】
2009139058.tif 000018
【図６Ａ】
2009139058.tif 000019
【図６Ｂ】
2009139058.tif 000020
【図６Ｃ】
2009139058.tif 000021
【図６Ｄ】
2009139058.tif 000022
【図６Ｅ】
2009139058.tif 000023
【図７Ａ】
2009139058.tif 000024
【図７Ｂ】
2009139058.tif 000025
【図７Ｃ】
2009139058.tif 000026
【図８Ａ】
2009139058.tif 000027
【図８Ｂ】
2009139058.tif 000028
【図８Ｃ】
2009139058.tif 000029
【図８Ｄ】
2009139058.tif 000030
【図９】
2009139058.tif 000031
【図１０Ａ】
2009139058.tif 000032
【図１０Ｂ】
2009139058.tif 000033
【図１１Ａ】
2009139058.tif 000034
【図１１Ｂ】
2009139058.tif 000035
【図１２】
2009139058.tif 000036
【図１３】
2009139058.tif 000037
【図１４】
2009139058.tif 000038
【図１５】
2009139058.tif 000039
【図１６Ａ】
2009139058.tif 000040
【図１６Ｂ】
2009139058.tif 000041
【図１６Ｃ】
2009139058.tif 000042
【図１７】
2009139058.tif 000043
【国際調査報告】
2009139058.tif 000044
2009139058.tif 000045
2009139058.tif 000046
2009139058.tif 000047